(57)【要約】      （修正有）【課題】引込側ケーブルより毛細管現象により浸水してプラグイン形分岐装置の既設防水カバー内に滞留した水を、装置自体の内圧を利用して外部へ排水可能とする地中ケーブル用低圧分岐装置の排水構造を提供する。【解決手段】上部羽子板部５でヒューズ７と接続した上部接続パイプ８と、下部羽子板部９で引込側ケーブルの既設の分岐引込端子１１と接続し、且つ既設防水カバー１３に水密嵌合させた下部接続パイプ１４と、上部防水カバー１５の下部開口端側から内部に配された水止めモールド部材とを備え、上部防水カバーと水止めモールド部材との間に形成された環状溝内に、下部接続パイプの上部開口端を嵌合すると共に、引込側ケーブルより浸水して既設防水カバー内に滞留した水を内圧を利用して外部へ排水可能とするよう、前記環状溝内に嵌め込まれる下部接続パイプの上部開口端周縁に内圧弱点部１９を備えている。【選択図】図１
2007174820.tif 000002
【特許請求の範囲】
【請求項１】
上部羽子板部でヒューズと接続して収容される上部接続パイプと、前記上部羽子板部に接続された下部羽子板部で引込側ケーブルの既設の分岐引込端子と端子取付ボルトを介して接続して収容され、且つ下部開口端側から引込側ケーブルにかけて既設防水カバーに水密嵌合させた下部接続パイプと、上部接続パイプの下部開口端側から外部に水密嵌合させた上部防水カバーと、上部防水カバーの下部開口端側から内部に配された水止めモールド部材とを備え、上部防水カバーと水止めモールド部材との間に形成された環状溝内に、下部接続パイプの上部開口端を嵌合すると共に、引込側ケーブルより浸水して既設防水カバー内に滞留した水を内圧を利用して外部へ排水可能とするよう、前記環状溝内に嵌め込まれる下部接続パイプの上部開口端周縁に内圧弱点部を備えたことを特徴とする地中ケーブル用低圧分岐装置の排水構造。
【請求項２】
水止めモールド部材を配した上部防水カバーの外周、および下部接続パイプの下部開口端側を嵌入させた既設防水カバーの外周に、それぞれ締付けバンドを備えた請求項１に記載の地中ケーブル用低圧分岐装置の排水構造。
【請求項３】
下部接続パイプの外周には、上部防水カバーの嵌合位置と、既設防水カバーの嵌合位置とを設定する浅溝赤色ラインを布置した請求項１または２に記載の地中ケーブル用低圧分岐装置の排水構造。
【発明の詳細な説明】
【技術分野】
【０００１】
本発明は、低圧地中ケーブルの分岐に使用するために、地上またはハンドホール内に設置されるＥＰゴム絶縁を主としたプラグイン形分岐装置に係り、引込側ケーブルより浸水してプラグイン形分岐装置の既設防水カバー内に滞留した水を内圧を利用して外部へ排水可能とした地中ケーブル用低圧分岐装置の排水構造に関するものである。
【背景技術】
【０００２】
従来における地中ケーブル用低圧分岐装置の防水構造は、上部羽子板部でヒューズと接続して収容される上部接続パイプと、前記上部羽子板部と一体の下部羽子板部で既設の分岐引込端子を介して引込側ケーブルと接続して収容され、且つ下部開口端側を既設防水カバーに水密嵌合させた下部接続パイプとの相互接続部分に防水カバーを被せてから、当該防水カバー全面にかけて止水用テープ処理を施すことにより、例えば、約５気圧まで完全防水可能とした構成となっている。
【０００３】
また、地上またはハンドホール内に設置されるＥＰゴム絶縁を主とした、例えば、６分岐形等のプラグイン形分岐装置から引き出された６本の引込側ケーブルは、地中に配されている６分岐形のプラグイン形分岐装置にそれぞれ接続されている。
【０００４】
このとき、地中のプラグイン形分岐装置は、地上位置よりも低い位置にあるので、仮に地上のプラグイン形分岐装置内に水が入り込んだ際には、高低差により、その水が地中のプラグイン形分岐装置の方に集まり易くなる。
【０００５】
加えて、地上またはハンドホール内に設置されるプラグイン形分岐装置において、止水用テープ処理が完全に施されていない部分等から装置内に水が入り込むと、引込側ケーブル内で結束された複数本の銅線により生じる毛細管現象により、地上またはハンドホール内に設置されているプラグイン形分岐装置の方から、地中のプラグイン形分岐装置の方へ、急速に水が浸水していくのである。
【０００６】
この他、従来における地中ケーブル用低圧分岐装置としては、特許文献１に開示されているように、分岐回路の開閉を容易に行えるようにするための三相一括開閉型低圧分岐装置なるものがある。これは、各相分岐ケーブルに接続する接続導体に対して可動式の可動ロッドと、各可動ロッドの頸下に係合する作動子を有する作動板と、作動板を駆動するための操作レバーとを備え、この操作レバーの操作により作動板をケーシング前面側に移動させることで各可動ロッドを三相一括して引き抜かせるようにしたものである。そして、三相の各分岐ユニットは、階段状の取付架台の雌側ユニットに係合され、連絡母線を介して幹線回路の各対応相に接続されている。
【０００７】
また、特許文献２に開示されているように、蓋受け部が内方に突出しているハンドホールに収容しても分岐ケーブル接続部の脱着作業を簡単に行えるようにした構造の低圧分岐装置がある。これは、幹線ケーブルが接続される幹線ケーブル接続部を、筒状の防水カバーに嵌入されている防水ケースと、この防水ケース内に配設されている導体とを備えた分岐体により構成し、この分岐体の上部に分岐ケーブル接続部を上下方向に着脱自在に装着すると共に、ハンドホールの側壁に設けられた傾斜取付部に装置を傾斜させて取り付けている。この防水カバー内には、Ｕ相幹線ケーブルの導体に圧縮固定されている圧縮端子と、この圧縮端子の端子連結板がボルト止めされている端子取付板とが収納配置されている。
【０００８】
さらに、特許文献３に開示されているように、上部接続パイプと、下部接続パイプとを一体的に水密嵌合して成る両カバー内部に、羽子板部で接続された低圧限流ヒューズ、圧縮端子それぞれが内装した低圧分岐装置がある。
【特許文献１】実開平２−７７３１号公報
【特許文献２】実開平６−２９３４０号公報
【特許文献３】特開平８−２６９９９３号公報（図３参照）
【発明の開示】
【発明が解決しようとする課題】
【０００９】
しかしながら、従来における地中ケーブル用低圧分岐装置の防水構造は、相互接続部分に防水カバーを被せてから、当該防水カバー全面にかけて止水用テープ処理を施すことにより完全防水状態にしたので、引込側ケーブル内で結束された複数本の銅線による導体から毛細管現象により急速に浸水してきた水は、装置の外部へ逃がすことができず、その水は装置内部に次第に滞留した状態となる。
【００１０】
しかも、止水用テープ処理が完全に施されていない部分等から装置内に水がさらに入り込んで、地中のプラグイン形分岐装置の方へ急速に水が浸水していくと、地中のプラグイン形分岐装置の内圧が高くなる。
【００１１】
また、プラグイン形分岐装置自体の完全な防水化を実現するために、例えば、特許文献３に示すように、上部接続パイプと下部接続パイプを完全に一体化することも考えられるが、装置内部のヒューズ交換の必要性から、このような一体成形は好ましいものではない。
【００１２】
さらに、特許文献１に示すように、階段状の取付架台の雌側ユニットに係合され、連絡母線を介して幹線回路の各対応相に接続されている三相の各分岐ユニット、または、特許文献２に示すように、幹線ケーブルが接続される幹線ケーブル接続部を、筒状の防水カバーに嵌入されている防水ケースと、この防水ケース内に配設されている導体とを備えた分岐体により構成したもの等では、導体から毛細管現象により急速に浸水してきた水を、装置の外部へ逃がすことができない構造となっており、その水は装置内部に次第に滞留した状態となっていた。
【００１３】
そこで、本発明は如上のような従来存した諸事情に鑑み創出されたもので、引込側ケーブルより毛細管現象により浸水してプラグイン形分岐装置の既設防水カバー内に滞留した水を装置自体の内圧を利用して外部へ排水可能とし、且つ装置内部のヒューズ交換も容易に行える地中ケーブル用低圧分岐装置の排水構造を提供することを目的とする。
【課題を解決するための手段】
【００１４】
本発明に係る地中ケーブル用低圧分岐装置の排水構造は、上部羽子板部でヒューズと接続して収容される上部接続パイプと、前記上部羽子板部に接続された下部羽子板部で引込側ケーブルの既設の分岐引込端子と端子取付ボルトを介して接続して収容され、且つ下部開口端側から引込側ケーブルにかけて既設防水カバーに水密嵌合させた下部接続パイプと、上部接続パイプの下部開口端側から外部に水密嵌合させた上部防水カバーと、上部防水カバーの下部開口端側から内部に配された水止めモールド部材とを備え、上部防水カバーと水止めモールド部材との間に形成された環状溝内に、下部接続パイプの上部開口端を嵌合すると共に、引込側ケーブルより浸水して既設防水カバー内に滞留した水を内圧を利用して外部へ排水可能とするよう、前記環状溝内に嵌め込まれる下部接続パイプの上部開口端周縁に内圧弱点部を備えたことで、上述した課題を解決した。
【００１５】
また、水止めモールド部材を配した上部防水カバーの外周、および下部接続パイプの下部開口端側を嵌入させた既設防水カバーの外周に、それぞれ締付けバンドを備えたことで、同じく上述した課題を解決した。
【００１６】
さらに、下部接続パイプの外周には、上部防水カバーの嵌合位置と、既設防水カバーの嵌合位置とを設定する浅溝赤色ラインを布置したことで、同じく上述した課題を解決した。
【００１７】
以上のように構成された本発明に係る地中ケーブル用低圧分岐装置の排水構造において、下部接続パイプの上部開口端周縁に形成された内圧弱点部は、引込側ケーブルより毛細管現象により浸水して既設防水カバー内に滞留した水を、当該既設防水カバー自体の内圧によってテーパー面を介して外部へ排水させる。また、当該既設防水カバー自体の内圧によって外部からの水の浸入も阻止する。
【００１８】
さらに、締付けバンドは、水止めモールド部材を嵌入した上部防水カバーの外周、および下部接続パイプの下部開口端側を嵌入させた既設防水カバーの外周それぞれを水密状態に縛着固定させる。
【００１９】
また、下部接続パイプの外周に布置した浅溝赤色ラインは、上部防水カバーの嵌合位置と、既設防水カバーの嵌合位置とのズレ込みを未然に防止させる。
【発明の効果】
【００２０】
本発明によれば、引込側ケーブルより毛細管現象により浸水してプラグイン形分岐装置の既設防水カバー内に滞留した水を装置自体の内圧を利用して外部へ排水可能とし、且つ装置内部のヒューズ交換も容易に行える。
【００２１】
これは本発明が、上部防水カバーと水止めモールド部材との間に形成された環状溝内に、下部接続パイプの上部開口端を嵌合すると共に、引込側ケーブルより浸水して既設防水カバー内に滞留した水を内圧を利用して外部へ排水可能とするよう、前記環状溝内に嵌め込まれる下部接続パイプの上部開口端周縁に内圧弱点部を備えたからであり、これにより、引込側ケーブル内で結束された複数本の銅線による導体から毛細管現象により浸水して既設防水カバー内に滞留した水を、当該既設防水カバー自体の内圧によってテーパー面を介して外部へ容易に排水することができる。
【００２２】
また、ヒューズ交換時には、内圧弱点部を介して下部接続パイプ、上部防水カバーそれぞれが嵌合しているため、当該下部接続パイプ、上部防水カバーそれぞれの分離が容易であり、これによりヒューズの交換作業がスムーズに行える。
【００２３】
さらに、水止めモールド部材を配した上部防水カバーの外周、および下部接続パイプの下部開口端側を嵌入させた既設防水カバーの外周に、それぞれ締付けバンドを備えたので、水止めモールド部材を配した上部防水カバーの外周、および下部接続パイプの下部開口端側を嵌入させた既設防水カバーの外周それぞれを水密状態に縛着固定させることができる。
【００２４】
しかも、ヒューズ交換時においては、締付けバンドの縛着力を緩めるだけで、水止めモールド部材、下部接続パイプそれぞれの分離が容易に行える。
【００２５】
この他、下部接続パイプの外周には、上部防水カバーの嵌合位置と、既設防水カバーの嵌合位置とを設定する浅溝赤色ラインを布置したので、下部接続パイプに対する上部防水カバー、既設防水カバーそれぞれの組み付け時における位置決めが確実に行なわれる。また、組み付け後の上部防水カバーの嵌合位置と、既設防水カバーの嵌合位置とのズレ込みを未然に防止することができる。
【発明を実施するための最良の形態】
【００２６】
以下に、本発明を実施するための最良の形態を、図面を参照して説明する。
【００２７】
本発明は、低圧地中ケーブルの分岐に使用するために低圧限流用のヒューズを使用し、且つＥＰゴム絶縁を主としたプラグイン形に形成されて成る地中ケーブル用低圧分岐装置１の排水構造に関するものである。
【００２８】
この地中ケーブル用低圧分岐装置１は、直埋変圧器、地上用変圧器と組み合わせて、地上もしくは地下孔や、ハンドホール内に設置したり、低圧需要の一般家庭への供給用として使用するものである。
【００２９】
また、地中ケーブル用低圧分岐装置１は、低圧需要に見合った回路数が選択できるように、６分岐または８分岐等の構造とし、地上用の変圧器として使用する場合には、図４に示すように、内外面に合成樹脂製粉体による静電塗装を施し、且つ前面に観音開き状の扉を備えた外箱Ｐ内に設置される。
【００３０】
地中ケーブル用低圧分岐装置１は、図１・図２に示すように、接触部が銀メッキ処理された可動ロッド２Ａに連設された開閉操作用ボス２を側面に備えた絶縁キャップ３が上部開口側にヒューズ取付導体４を介して嵌め込まれ、且つ内部には上部羽子板部５で、端子取付ボルト、スプリングワッシャ、ナット等による取付部材６を介してヒューズ７と接続して収容される上部接続パイプ８を備えている。
【００３１】
また、前記上部羽子板部５に、取付部材６を介して接続された下部羽子板部９で、引込側ケーブル１０に接続された既設の分岐引込端子１１と取付部材６を介して接続して収容され、且つ下部開口端側から引込側ケーブル１０にかけて締付けバンド１２の緊締により既設防水カバー１３を水密嵌合させて成る下部接続パイプ１４を備えている。
【００３２】
締付けバンド１２は、図１に示すように、互いに平行な一対のリング１２Ａのそれぞれ一端側に固着された締付け板１２Ｂと、該締付け板１２Ｂにスペーサ１２Ｅを介してねじ込まれる締付けネジ１２Ｃを備えている。また、締付けネジ１２Ｃのねじ込み先端側に、一対のリング１２Ａの他端側同士をＵ字状に連結させた環状部分１２Ｄを挿入固着してある。そして、この締付けネジ１２Ｃの締付けトルクによって、リング１２Ａ自体が縮径方向に絞り込まれるようにしてある。
【００３３】
この引込側ケーブル１０には、複数本の銅線による導体が互いに結束された状態となって封入されており、この導体によって水が毛細管現象により進行し、地中ケーブル用低圧分岐装置１の内部に水が浸水してくるのである。
【００３４】
このとき、地上またはハンドホール内に設置されている地中ケーブル用低圧分岐装置１の方から、地中の低圧分岐装置１の方へ、急速に水が浸水していくのである。
【００３５】
また、地中ケーブル用低圧分岐装置１は、図５に示すように、上部防水カバー１５の下部開口端側から内部に、例えば、ＥＰゴム製の有底筒状の水止めモールド部材１７を封入配置させ、水止めモールド部材１７の底側から下方へ向けて下部羽子板部９の下端側が水密状に貫通している。
【００３６】
さらに、水止めモールド部材１７と上部防水カバー１５との間には、上部防水カバー１５の下部開口端内周面に設けられた環状の段差１５Ａを介して水止めモールド部材１７が上部防水カバー１５の下部開口端よりも若干下側に突出した状態となっている。こうして水止めモールド部材１７と上部防水カバー１５との間に、上端側が閉塞され、下端側が開口された環状溝１８が形成され、この環状溝１８内に下部接続パイプ１４の上部開口端を凹凸嵌合部１６を介して嵌合させるようにしてある。この上部防水カバー１５の段差１５Ａ位置よりも上側の内周面は、水止めモールド部材１７側に隙間無く圧接するように、上部防水カバー１５の外周に締付けバンド１２を緊締するようにしてある。また、上部防水カバー１５の上部開口側は、上部接続パイプ８の下部開口側が挿入された状態で、上部防水カバー１５の外周に締付けバンド１２を緊締するようにしてある。
【００３７】
環状溝１８内に嵌め込まれる下部接続パイプ１４の上部開口端周縁には、図３に示すように内圧弱点部１９が形成され、引込側ケーブル１０より浸水して既設防水カバー１３内に滞留した水を、内圧を利用して外部へ排水可能としている。この内圧弱点部１９自体は、上部防水カバー１５と下部接続パイプ１４との組立挿入時の、挿入を容易にするための案内としての機能も兼ねており、しかも、この部分だけが外周から締付けバンド１２を緊締していないことで排水機能を高めている。
【００３８】
すなわち、既設防水カバー１３内に滞留した水は、水止めモールド部材１７と下部接続パイプ１４との間の隙間を毛細管現象によって浸透して行き、引込側ケーブル１０側からの内圧によって、水は、下部接続パイプ１４と上部防水カバー１５との間に形成されている内圧弱点部１９から凹凸嵌合部１６の隙間を通って外部に排出される。
【００３９】
また、低圧分岐装置１の漏水実験により、引込側ケーブル１０の導体よりの毛細管現象による浸水で、既設防水カバー１３内の圧力が０．０５ＭＰａ〜０．１２ＭＰａ付近で、内圧弱点部１９、もしくは既設防水カバー１３で漏水することが確認されている。
【００４０】
さらに、下部接続パイプ１４の外周には、上部防水カバー１５の嵌合位置と、既設防水カバー１３の嵌合位置とを確実に定めるための上下一対の浅溝赤色ライン２０を布置してある。尚、上下一対の浅溝に、赤色以外のラインを布置しても差し支えない。
【００４１】
次に、以上のように構成された本発明の最良の形態について、使用・組立、動作の一例を説明する。
【００４２】
まず、図１・図２に示すように、絶縁キャップ３からヒューズ取付導体４を介して延設されている上部羽子板部５でヒューズ７と接続し、下方側から上部接続パイプ８を被せて絶縁キャップ３に取り付ける。
【００４３】
また、上部接続パイプ８の下部開口端側を、上部防水カバー１５の上部開口側内に、凹凸嵌合部１６を介して嵌め込んでから、上部防水カバー１５の下部開口端側から内部に水止めモールド部材１７を封入配置し、図５に示すように、水止めモールド部材１７の底側から下方へ向けて下部羽子板部９の下端側が水密状に貫通させた状態にしてから、水止めモールド部材１７側に上部防水カバー１５が隙間無く圧接するように外周に締付けバンド１２を緊締する。
【００４４】
さらに、引込側ケーブル１０を覆う既設防水カバー１３内において、下部羽子板部９に引込側ケーブル１０の既設の分岐引込端子１１を端子取付ボルト、スプリングワッシャ、ナット等による取付部材６を介して接続し、既設防水カバー１３の上部開口端に下部接続パイプ１４を下側の浅溝赤色ライン２０位置まで嵌め込み、外周に締付けバンド１２を緊締する。
【００４５】
そして、上部羽子板部５と下部羽子板部９を端子取付ボルト、スプリングワッシャ、ナット等の取付部材６を介して接続すると同時に、上部防水カバー１５の段差１５Ａと水止めモールド部材１７との間に形成された環状溝１８内に、下部接続パイプ１４の上部開口端を上側の浅溝赤色ライン２０位置まで挿入し、凹凸嵌合部１６を介して固定する。
【００４６】
このとき、環状溝１８内に嵌め込まれる下部接続パイプ１４の上部開口端周縁には、内圧弱点部１９が形成される。
【００４７】
さらに、図３に示すように、既設防水カバー１３内に滞留した水は、水止めモールド部材１７と下部接続パイプ１４との間の隙間を毛細管現象によって浸透して行き、引込側ケーブル１０側からの内圧によって、水は、下部接続パイプ１４と上部防水カバー１５との間に形成されている内圧弱点部１９から凹凸嵌合部１６の隙間を通って外部に排出される。
【産業上の利用可能性】
【００４８】
本発明は、引込側ケーブルより毛細管現象により浸水してプラグイン形分岐装置の既設防水カバー内に滞留した水を装置自体の内圧を利用して外部へ排水可能とし、且つ装置内部のヒューズ交換も容易に行える地中ケーブル用低圧分岐装置の排水構造として、種々の低圧分岐装置に広く利用することができる。
【図面の簡単な説明】
【００４９】
【図１】地中ケーブル用低圧分岐装置の構成を示す一部拡大の分解斜視図である。
【図２】低圧分岐装置の組付状態の構成を示す断面図である。
【図３】内圧弱点部周辺の構成を示す拡大断面図である。
【図４】地中ケーブル用低圧分岐装置の使用状態の一例を示す断面図である。
【図５】上部防水カバーに下部接続パイプを取り付ける状態を示した斜視図である。
【符号の説明】
【００５０】
Ｐ…外箱
１…低圧分岐装置
２…開閉操作用ボス              ２Ａ…可動ロッド
３…絶縁キャップ                  ４…ヒューズ取付導体
５…上部羽子板部                  ６…取付部材
７…ヒューズ                      ８…上部接続パイプ
９…下部羽子板部                １０…引込側ケーブル
１１…分岐引込端子
１２…締付けバンド              １２Ａ…リング
１２Ｂ…締付け板                  １２Ｃ…締付けネジ
１２Ｅ…スペーサ                  １２Ｄ…環状部分
１３…既設防水カバー              １４…下部接続パイプ
１５…上部防水カバー            １５Ａ…段差
１６…凹凸嵌合部                  １７…水止めモールド部材
１８…環状溝                      １９…内圧弱点部
２０…浅溝赤色ライン
【図１】
2007174820.tif 000003
【図２】
2007174820.tif 000004
【図３】
2007174820.tif 000005
【図４】
2007174820.tif 000006
【図５】
2007174820.tif 000007